(57)【要約】      （修正有）【課題】医療用トレイの廃棄時に、その容積をコンパクトにすることができる構成を備え、また、検査後には、内部の生理食塩水等を廃棄する際に、容易にかつ安全に廃棄することを可能とし、さらに、脱脂綿等の廃棄物のダストボックスとして用いることができ、医療用トレイの使用時に、その利便性の向上を図った構造を備える、医療用トレイを提供する。【解決手段】底面１０１の四つの側辺と、第１〜第４側部側壁１０２，１０３，１０４，１０５との連結領域、および、底面１０１の四つの側辺のコーナ部と、第１〜第４コーナ部側壁１０６，１０７，１０８，１０９との連結領域には、底面１０１の四つの側辺を取囲むように設けられ、第１〜第４側部側壁および第１〜第４コーナ部側壁が、底面に向かって折り畳まれることを可能にする底部折り畳みガイド領域１３２が設けられている。【選択図】図１
2007075511.tif 000002
【特許請求の範囲】
【請求項１】
略矩形形状の底面(101)と、前記底面を四方から取囲む側壁(102、・・・)とを有し、容器を構成する樹脂製の医療用トレイ(100)であって、
前記側壁(102、・・・)は、
前記底面(101)の四つの側辺からそれぞれ略上方に向かって起立する側部側壁(102,103,104,105)と、前記底面(101)の四つのコーナ部からそれぞれ略上方に向かって起立し、隣接する前記側部側壁を連結するコーナ部側壁(106,107,108,109)とを有し、
前記底面(101)の四つの側辺と、前記側部側壁(102,103,104,105)との連結領域、および、前記底面(101)の四つの側辺のコーナ部と、前記コーナ部側壁(106,107,108,109)との連結領域には、前記底面(101)の四つの側辺を取囲むように設けられ、前記側部側壁(102,103,104,105)および前記コーナ部側壁(106,107,108,109)が、前記底面(101)に向かって折り畳まれることを可能にする底部折り畳みガイド領域(132)が設けられ、
前記側部側壁(102,103,104,105)と、前記コーナ部側壁(106,107,108,109)との連結領域には、略上方に向かって延び、前記コーナ部側壁(106,107,108,109)が前記底面(101)に向かって折り畳まれることを可能にする側部折り畳みガイド領域(131)が設けられることを特徴とする、医療用トレイ。
【請求項２】
前記側部側壁(102,103,104,105)の上端部のそれぞれには、側方に張出す側部フランジ部（110,111,112,113)が設けられ、
前記側部側壁(102,103,104,105)のうち、対向配置される一対の前記側部側壁(103,105)の前記側部フランジ部（111,113)には、前記側部フランジ部（111,113）に重ね合わされる状態と、重ね合わされない状態とが選択可能なプレート部材(121,119)を備え、
前記プレート部材(119,121)は、前記側部フランジ部（111,113）に重ね合わされた状態で、この重ね合わされた前記側部フランジ部（111,113）に重なる本体部(119A、121A)と、この重ね合わされた前記側部フランジ部（111,113）とは異なる他の一対の前記側部側壁(102,104)の前記側部フランジ部（110,112)側に重なるように延びる延長領域部(119B、121B)とを有し、
前記一対の前記側部側壁(103,105)の前記側部フランジ部（111,113)と前記本体部(119A、121A)との間、および、他の一対の前記側部側壁(102,104)の前記側部フランジ部（110,112)と前記延長領域部(119B、121B)との間には、重なり合う相互の領域を着脱可能にする連結する係合領域(110a,110b,111a,111b,112a,112b,113a,113b,119a,119b,119c,119d,121a,121b,121c,121d)を含む、請求項１に記載の医療用トレイ。
【請求項３】
前記本体部(119A、121A)は、前記側部フランジ部（111,113）に重ね合わされた状態で、この重ね合わされた前記側部フランジ部（111,113）に重なるとともに、容器の内方に張出す形態を有する、請求項２に記載の医療用トレイ。
【請求項４】
前記プレート部材(121,119)は、その本体部(119A、121A)が前記プレート部材(121,119)が重ね合わされる前記側部フランジ部（111,113）に樹脂により一体成形され、
前記本体部(119A、121A)と前記側部フランジ部（111,113）との間には、プレート折り畳みガイド領域(118,120)が設けられる、請求項２に記載の医療用トレイ。
【請求項５】
前記プレート部材(121,119)の前記プレート折り畳みガイド領域(118,120)の外側には、前記プレート折り畳みガイド領域(118,120)から遠ざかる方向に延びる切欠領域(119h,119k,121h,121k)が設けられる、請求項４に記載の医療用トレイ。
【請求項６】
前記プレート部材(121,119)の前記延長領域部(119B、121B)の先端近傍領域には、外部に設けられた線状部材を係止するための係止領域(121e,121f)が設けられる、請求項２に記載の医療用トレイ。
【請求項７】
前記コーナ部側壁(106,107,108,109)の上端部には、下方に向かって窪む凹部領域(114a,115a)が設けられ、
前記プレート部材(121,119)の前記側部フランジ部（111,113）に重ね合わされた状態において、前記凹部領域(114a,115a)の対向する前記プレート部材(121,119)には、水切り案内表示が設けられる、請求項２に記載の医療用トレイ。
【発明の詳細な説明】
【技術分野】
【０００１】
本発明は、医療用トレイの構造に関するものである。
【背景技術】
【０００２】
近年、人体の機能を検査および治療するために用いられる器具としてさまざまなものが開発されている。たとえば、カテーテル検査を行なう場合には、まず、ガイドワイヤが血管に導入され、このガイドワイヤに沿ってカテーテルチューブが患者の血管に導入される。
【０００３】
このように、カテーテル検査および血管内治療を行なう場合には、様々な器具が用いられるが、検査中においては、カテーテルチューブ、ガイドワイヤ等は、生理食塩水が満たされた医療用トレイ内に浸漬された状態となる。図１６に医療用トレイの外観を示す。この医療用トレイ２００は、略矩形形状の底面２０１と、この底面２０１を四方から取囲む側壁２０２と、この側部側壁２０２の上端部には、側方に張出す側部フランジ部２０３が設けられ、全体として樹脂製容器を構成している。
【０００４】
医療用トレイ２００に、カテーテルチューブ、ガイドワイヤ等の線状部材３００を収容する場合には、線状部材３００は全長が長いため、図１６に示すように、巻回した状態で収容される。この際、線状部材３００の飛びはねを防止するために、側部フランジ部２０３にプレート部材２１０が取り付けられる。図１６および図１７に示すように、プレート部材２１０は、医療用トレイ２００の内面側に突出するように設けられることで、線状部材３００の飛びはねを防止している。プレート部材２１０には、下方に突出する凸部２１１が２箇所設けられ、また、側部フランジ部２０３には、凸部２１１に対応する位置に下方に突出する凹部２０４が２箇所設けられている。図１７の断面に示すように、凸部２１１を凹部２０４に嵌め入れることにより、医療用トレイ２００にプレート部材２１０が固定される。
【０００５】
このように、医療用トレイ２００は、カテーテル検査および血管内治療を行なう場合には、必須の容器である。医療用トレイ２００を廃棄する際には、内部の生理食塩水を廃棄した後に処分することとなる。この際、プレート部材２１０を医療用トレイ２００から取り外す必要があるが、まだ内部に生理食塩水が存在しているために、生理食塩水が飛び散るおそれがある。また、医療用トレイ２００そのものが比較的大きな外形寸法（３００ｍｍ×４００ｍｍ×１００ｍｍ）を有しているため、廃棄処理物として大きな容積を占めてしまう問題もある。
【０００６】
以上本願に係る発明についての背景の技術を、出願人の知得した一般的技術情報に基づいて説明したが、出願人の記憶する範囲において、本願の出願前までに先行技術文献情報として開示すべき情報を出願人は有しておらず、かつ、本願に先行する出願人自身の特許出願等についても認識していない。
【発明の開示】
【発明が解決しようとする課題】
【０００７】
したがって、本発明が解決しようとする課題は、医療用トレイの廃棄時に、廃棄処理物として大きな容積を占めてしまう点にある。したがって、本願発明の目的は、医療用トレイの廃棄時に、その容積をコンパクトにすることができる構成を備え、また、検査後には、内部の生理食塩水等を廃棄する際に、容易にかつ安全に廃棄することを可能とし、さらに、脱脂綿等の廃棄物のダストボックスとして用いることができ、医療用トレイの使用時に、その利便性の向上を図った構造を備える、医療用トレイを提供することにある。
【課題を解決するための手段】
【０００８】
この発明に基づいた医療用トレイにおいては、略矩形形状の底面と、上記底面を四方から取囲む側壁とを有し、容器を構成する樹脂製の医療用トレイであって、上記側壁は、上記底面の四つの側辺からそれぞれ略上方に向かって起立する側部側壁と、上記底面の四つのコーナ部からそれぞれ略上方に向かって起立し、隣接する上記側部側壁を連結するコーナ部側壁とを有し、上記底面の四つの側辺と、上記側部側壁との連結領域、および、上記底面の四つの側辺のコーナ部と、上記コーナ部側壁との連結領域には、上記底面の四つの側辺を取囲むように設けられ、上記側部側壁および上記コーナ部側壁が、上記底面に向かって折り畳まれることを可能にする底部折り畳みガイド領域が設けられ、上記側部側壁と、上記コーナ部側壁との連結領域には、略上方に向かって延び、上記コーナ部側壁が上記底面に向かって折り畳まれることを可能にする側部折り畳みガイド領域が設けられることを特徴とする。
【０００９】
この発明に基づいた医療用トレイによれば、底部折り畳みガイド領域、および、側部折り畳みガイド領域が設けられることにより、医療用トレイの底面に向かって、側部側壁を折り畳むことが可能となる。これにより、医療用トレイの廃棄時に、その容積を縮小するこことができ、廃棄処理物として容積を小さくすることが可能となる。また、側部側壁を折り畳むことにより、内部に使用済みの脱脂綿、手袋等を包み込むことが可能となり、廃棄時における他の廃棄物も同時にまとめて廃棄することが可能となる。
【発明を実施するための最良の形態】
【００１０】
以下、本発明に基づいた実施の形態における医療用トレイについて図を参照しながら説明する。まず、図１から図７を参照して、本実施の形態における医療用トレイ１００の構造について説明する。なお、図１は、本実施の形態における医療用トレイ１００の全体斜視図であり、図２は、底面の構造を示す部分拡大斜視図であり、図３は、図２中ＩＩＩ線に沿った部分拡大断面図であり、図４は、図２中ＩＶ線に沿った部分拡大断面図である。また、図５は、プレート部材１１９の構造を示す拡大斜視図であり、図６は、プレート部材１２１の構造を示す拡大斜視図である。また、図７は、第１コーナ部側壁１０６の上端部の構造を示す拡大斜視図である。
【００１１】
（医療用トレイ１００の構造）
まず、図１を参照して、本実施の形態における医療用トレイ１００は、略矩形形状の底面１０１と、この底面を四方から取囲む側壁とを有し、全体として容器を構成する樹脂製の医療用トレイである。材質は、ポリプロピレン（ＰＰ）、フィラー入りポリプロピレン（ＰＰＦ）等が用いられている。材質の厚さは、約０．５〜２．０ｍｍ程度あり、好ましくは、約１．０程度が採用される。これらの材質は一例であり、他の同様の材質の採用が可能である。
【００１２】
側壁は、底面１０１の四つの側辺からそれぞれ略上方に向かって起立する第１〜第４側部側壁１０２，１０３，１０４，１０５と、底面１０１の四つのコーナ部からそれぞれ略上方に向かって起立し、隣接する第１〜第４側部側壁１０２，１０３，１０４，１０５を連結する第１〜第４コーナ部側壁１０６，１０７，１０８，１０９とを有している。
【００１３】
底面１０１の四つの側辺と、第１〜第４側部側壁１０２，１０３，１０４，１０５との連結領域、および、底面１０１の四つの側辺のコーナ部と、第１〜第４コーナ部側壁１０６，１０７，１０８，１０９との連結領域には、底面１０１の四つの側辺を取囲むように設けられ、第１〜第４側部側壁１０２，１０３，１０４，１０５および第１〜第４コーナ部側壁１０６，１０７，１０８，１０９が、底面１０１に向かって折り畳まれることを可能にする底部折り畳みガイド領域１３２が設けられている。
【００１４】
第１〜第４側部側壁１０２，１０３，１０４，１０５と、第１〜第４コーナ部側壁１０６，１０７，１０８，１０９との連結領域には、略上方に向かって延び、第１〜第４側部側壁１０２，１０３，１０４，１０５が底面１０１に向かって折り畳まれることを可能にする側部折り畳みガイド領域１３１が設けられている。
【００１５】
底部折り畳みガイド領域１３２の具体的形態の一例としては、図３の断面図に示すように、底面１０１の四つの側辺を取囲むように設けられ、内方に凹部領域が面する２本の溝１３２，１３２から構成されている。それぞれの溝１３２，１３２の溝幅（Ｍ１）は約４ｍｍ〜５ｍｍ、溝間隔（Ｍ２）は約３ｍｍ、溝深さ（ｈ１）は約４ｍｍ程度である。また、側部折り畳みガイド領域１３１の具体的形態の一例としては、図４の断面図に示すように、底面１０１から遠ざかる方向に延び、内方に凹部領域が面する溝１３１から構成されている（合計８箇所）。この溝１３１の溝幅（Ｍ３）は約４ｍｍ〜５ｍｍ、溝深さ（ｈ２）は約４ｍｍ程度である。
【００１６】
このように、溝１３１、および、溝１３２，１３２を設けることで、第１〜第４側部側壁１０２，１０３，１０４，１０５、および、第１〜第４コーナ部側壁１０６，１０７，１０８，１０９を、底面１０１に向かって折り畳むことが可能となる。なお、連結領域において、溝１３２，１３２にあっては２本の溝を設ける形態、溝１３１にあっては１本の溝を設ける形態を図示したが、溝の本数は容器の容量等により適宜選択されるものであり、これらの数量に限定されるものではない。また、底面１０１に向かって第１〜第４側部側壁および第１〜第４コーナ部側壁を折り畳むことが可能とればよいことから、溝１３２が設けられる領域を他の領域よりも薄肉に成形し、折り畳むためのガイド領域とすることも可能である。
【００１７】
次に、図２および図３を参照して、底面１０１の内表面には、全面にわたって内方に凹部領域が面する複数の凹部領域１０１ａ，１０１ｂが成形されている。凹部領域１０１ａは平面形状は長方形形状を有し、凹部領域１０１ｂは平面形状は正四角形形状を有している。凹部領域１０１ｂの２個つなぎ合わせたものが、略凹部領域１０１ａの平面形状となっている。凹部領域１０１ａの溝幅（Ｗ３）は約３０ｍｍ、凹部領域１０１ｂの溝幅（Ｗ２）は約１５ｍｍである。また、溝間隔（Ｗ１）は約３ｍｍ、溝深さ（ｈ１）は約４ｍｍ程度である。
【００１８】
再び、図１を参照して、第１〜第４側部側壁１０２，１０３，１０４，１０５の上端部のそれぞれには、側壁の横方向に延びるとともに、側方（外方）に張出す第１〜第４側部フランジ部１１０，１１１，１１２，１１３が設けられている。第１〜第４側部フランジ部１１０，１１１，１１２，１１３の所定位置には、それぞれ２箇所ずつ、下方に向かって窪む係合領域としての円筒形状の係合凹部１１０ａ，１１０ｂ，１１１ａ，１１１ｂ，１１２ａ，１１２ｂ，１１３ａ，１１３ｂが設けられている。第１〜第４側部側壁１０２，１０３，１０４，１０５のうち、対向配置される一対の第２側部側壁１０３の第２側部フランジ部１１１、および、第４側部側壁１０５の第４側部フランジ部１１３には、第２側部フランジ部１１１、および、第４側部フランジ部１１３に重ね合わされる状態と、重ね合わされない状態とが選択可能な第１プレート部材１１９、および、第２プレート部材１２１が装着される。
【００１９】
第１プレート部材１１９は、図５の拡大斜視図に示すように、第２側部フランジ部１１１に重ね合わされた状態で、この重ね合わされた第２側部フランジ部１１１に重なる本体部１１９Ａと、この重ね合わされた第２側部フランジ部１１１とは異なる、第１側部側壁１０２の第１側部フランジ部１１０側に重なるように延びる第１延長領域部１１９Ｂと、第３側部側壁１０４の第３側部フランジ部１１２側に重なるように延びる第２延長領域部１１９Ｃとを有している。
【００２０】
本体部１１９Ａは、第１側部フランジ部１１１に重ね合わされた状態で、この重ね合わされた第１側部フランジ部１１１に重なるとともに、容器の内方に張出す形態を有している。また、本体部１１９Ａは、第１プレート部材１１９が重ね合わされる第１側部フランジ部１１１に対して樹脂により一体成形され、本体部１１９Ａと第１側部フランジ部１１１との間には、第１プレート折り畳みガイド領域１１８が設けられている。この第１プレート折り畳みガイド領域１１８の具体的な形態としては、断面がジグザグに形成された帯状形態を有している。
【００２１】
本体部１１９Ａの第１プレート折り畳みガイド領域１１８の両側近傍領域には、係合領域としての円筒形状の係合凸部１１９ｂ、１１９ｃが形成されている。また、第１延長領域部１１９Ｂの先端部分にも、係合領域としての円筒形状の係合凸部１１９ａが形成され，第２延長領域部１１９Ｃの先端部分にも、係合領域としての円筒形状の係合凸部１１９ｄが形成されている。また、この係合凸部１１９ｂ、１１９ｃの外側には、第１プレート折り畳みガイド領域１１８から遠ざかる方向に延びる切欠領域１１９ｈ，１１９ｋが設けられている。また、第１側部側壁１０２側に位置する本体部１１９Ａと第１延長領域部１１９Ｂとの交差領域には、水切り案内表示として、外方に向かう矢印１１９ｇが刻印されている。なお、第１プレート部材１１９には、全体としての剛性を高める観点から、第１延長領域部１１９Ｂから、本体部１１９Ａを通過し、第２延長領域部１１９Ｃに至る帯状凹部溝１１９ｍが設けられている。
【００２２】
第２プレート部材１２１は、図６の拡大斜視図に示すように、対称であることを除いて、第１プレート部材１１９と同じ構造を有し、第４側部フランジ部１１３に重ね合わされた状態で、この重ね合わされた第４側部フランジ部１１３に重なる本体部１２１Ａと、この重ね合わされた第４側部フランジ部１１３とは異なる、第１側部側壁１０２の第１側部フランジ部１１０側に重なるように延びる第１延長領域部１２１Ｂと、第３側部側壁１０４の第３側部フランジ部１１２側に重なるように延びる第２延長領域部１２１Ｃとを有している。
【００２３】
本体部１２１Ａは、第４側部フランジ部１１３に重ね合わされた状態で、この重ね合わされた第４側部フランジ部１１３に重なるとともに、容器の内方に張出す形態を有している。また、本体部１２１Ａは、第２プレート部材１２１が重ね合わされる第４側部フランジ部１１３に対して樹脂により一体成形され、本体部１２１Ａと第４側部フランジ部１１３との間には、第２プレート折り畳みガイド領域１２０が設けられている。この第２プレート折り畳みガイド領域１２０の具体的な形態としては、断面がジグザグに形成された帯状形態を有している。
【００２４】
本体部１２１Ａの第２プレート折り畳みガイド領域１２０の両側近傍領域には、係合領域としての円筒形状の係合凸部１２１ｂ、１２１ｃが形成されている。また、第１延長領域部１２１Ｂの先端部分にも、係合領域としての円筒形状の係合凸部１２１ａが形成され、さらに係合凸部１２１ａよりも先端側には、線状部材を係止するための係止領域としての係止凹部１２１ｅが設けられている。また、第２延長領域部１２１Ｃの先端部分にも、係合領域としての円筒形状の係合凸部１２１ｄが形成され、さらに係合凸部１２１ｄよりも先端側には、線状部材を係止するための係止領域としての係止凹部１２１ｆが設けられている。
【００２５】
図１および図７を参照して、第１コーナ部側壁１０６の上端部には、側方（外方）に張出す第５側部フランジ部１１４が設けられ、この第５側部フランジ部１１４には、下方に向かって窪む凹部領域１１４ａが設けられている。同様に、第２コーナ部側壁１０７の上端部には、側方（外方）に張出す第６側部フランジ部１１５が設けられ、この第６側部フランジ部１１５には、下方に向かって窪む凹部領域１１５ａが設けられている。なお、第３コーナ部側壁１０８の上端部には、第７側部フランジ部１１６が設けられ、第４コーナ部側壁１０９の上端部には、第８側部フランジ部１１７が設けられている。
【００２６】
（使用形態）
次に、上記構成からなる医療用トレイ１００の使用形態について、図８から図１５を参照して説明する。なお、図８は、第１プレート部材１１９および第２プレート部材１２１を折り畳んだ状態を示す全体斜視図であり、図９は、図８中ＩＸに沿った部分拡大断面図であり、図１０は、図８中Ｘ方向から見た部分拡大図であり、図１１は、図８中ＸＩで囲まれた領域の部分拡大図であり、図１２および図１３は、医療用トレイ１００内に収容された線状部材としてのガイドワイヤ３００を取り出す場合の状態を示す第１および第２断面摸式図である。また、図１４および図１５は、医療用トレイ１００を折り畳む状態を示す第１および第２全体斜視図である。
【００２７】
まず、図８および図９を参照して、第１プレート部材１１９および第２プレート部材１２１を折り畳み、第１プレート部材１１９の係合凸部１１９ａ，１１９ｂ，１１９ｃ，１１９ｄが、第１側部フランジ部１１０の係合凹部１１０ｂ、第２側部フランジ部１１１の係合凹部１１１ａ，１１１ｂ、第３側部フランジ部１１２の係合凹部１１２ｂに挿入され、また、第２プレート部材１２１の係合凸部１２1ａ，１２１ｂ，１２１ｃ，１２１ｄが、第１側部フランジ部１１０の係合凹部１１０ａ、第４側部フランジ部１１３の係合凹部１１３ａ，１１３ｂ、第３側部フランジ部１１２の係合凹部１１２ａに挿入されされる。これにより、第１プレート部材１１９および第２プレート部材１２１が折り畳まれる前の状態においては、側部折り畳みガイド領域１３１が設けられているために、容器としての剛性が期待できないが、各プレート部材の係合凸部を対応する側部フランジ部の係合凹部に嵌め入れることにより、容器として医療用トレイ１００の剛性を高めることを可能とする。
【００２８】
また、第１プレート部材１１９および第２プレート部材１２１は、医療用トレイ１００に対して同じ樹脂により一体成形されていることから、製造工程においては、一回のプレス工程により、医療用トレイ１００の構成部品を成形することができ、医療用トレイ１００の製造コストを低下させることを可能としている。また、使用時のいては、プレート部材を紛失することなく、確実に、医療用トレイ１００にプレート部材を連結させることを可能としている。
【００２９】
また、図９を参照して、第２プレート部材１２１を折り畳んだ状態においては、医療用トレイ１００のコーナ部分に、第２プレート部材１２１と凹部領域１１４ａとにより、排水用の排水口Ｄが形成される。その結果、医療用トレイ１００の使用後に、この排水口Ｄから、内部に溜められた生理食塩水等を容易に排水することが可能となる。また、排水口Ｄが形成される第２プレート部材１２１には、水切り案内表示としての矢印１１９ｇが設けられていることから、上面側からにおいても、容易に排水口Ｄを見出すことができる。第１プレート部材１１９と凹部領域１１５ａとにより形成される排水口も同様である。
【００３０】
また、図１１を参照して、第２プレート部材１２１の先端部分に、係止凹部１２１ｅが設けられることで、ガイドワイヤ等の線状部材３００を係止凹部１２１ｅと第１側部フランジ部１１０とにより挟み込んで、線状部材３００を保持することを可能としている。
【００３１】
また、図１２および図１３を参照して、本実施の形態における医療用トレイ１００においては、上記したように、底面１０１の内表面には、全面にわたって内方に凹部領域が面する複数の凹部領域１０１ａ，１０１ｂが成形されている。また、この凹部領域１０１ａ，１０１ｂは、比較的深く形成されているとともに、平面形状として、正方形と長方形との二種類を用いることにより、指先の移動が阻害されず、底面１０１に位置する線状部材３００を指で容易に挟み込むことができ、医療用トレイ１００の利便性を向上させている。
【００３２】
また、医療用トレイ１００の廃棄時には、上記したように排水口Ｄから、内部に溜められた生理食塩水等を排水したのち、第１プレート部材１１９および第２プレート部材１２１を開放し、図１４および図１５に示すように、側部折り畳みガイド領域１３１および底部折り畳みガイド領域１３２に沿って、第１側部側壁１０２および第３側部側壁１０４を折り畳んだ後に、第２側部側壁１０３および第４側部側壁１０５を折り畳むことで、医療用トレイ１００のコンパクト化を図ることができる。また、図１５に示すように、第１プレート部材１１９に設けられた切欠領域１１９ｈ，１１９ｋと、第２プレート部材１２１に設けられた切欠領域１２１ｈ，１２１ｋとを相互に係合させることで、医療用トレイ１００の折り畳み状態が維持され、医療用トレイ１００の廃棄時における利便性を向上させている。
【００３３】
また、上記したように、第１から第４側部側壁１０２〜１０５を折り畳むことにより、内部に使用済みの脱脂綿、手袋等を包み込むことが可能となり、廃棄時における他の廃棄物も同時にまとめて廃棄することが可能となる。
【００３４】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００３５】
【図１】この発明に基づいた実施の形態における医療用トレイの全体斜視図である。
【図２】この発明に基づいた実施の形態における医療用トレイの底面の構造を示す部分拡大斜視図である。
【図３】図２中ＩＩＩ線に沿った部分拡大断面図である。
【図４】図２中ＩＶ線に沿った部分拡大断面図である。
【図５】この発明に基づいた実施の形態における医療用トレイの、注射針を装着した第２の状態における全体斜視図である。
【図６】この発明に基づいた実施の形態における医療用トレイの第１プレート部材の構造を示す拡大斜視図である。
【図７】この発明に基づいた実施の形態における医療用トレイの第２プレート部材の構造を示す拡大斜視図である。
【図８】この発明に基づいた実施の形態における医療用トレイの第１プレート部材および第２プレート部材を折り畳んだ状態を示す全体斜視図である。
【図９】図８中ＩＸに沿った部分拡大断面図である。
【図１０】図８中Ｘ方向から見た部分拡大図である。
【図１１】図８中ＸＩで囲まれた領域の部分拡大図である。
【図１２】この発明に基づいた実施の形態における医療用トレイ内に収容された線状部材を取り出す場合の状態を示す第１断面摸式図である。
【図１３】この発明に基づいた実施の形態における医療用トレイ内に収容された線状部材を取り出す場合の状態を示す第２断面摸式図である。
【図１４】この発明に基づいた実施の形態における医療用トレイを折り畳む状態を示す第１全体斜視図である。
【図１５】この発明に基づいた実施の形態における医療用トレイを折り畳む状態を示す第２全体斜視図である。
【図１６】背景技術における医療用トレイの全体斜視図である。
【図１７】背景技術における医療用トレイの部分断面図である。
【符号の説明】
【００３６】
１００  医療用トレイ、１０１  底面、１０１ａ，１０１ｂ  凹部領域、１０２  第１側部側壁、１０３  第２側部側壁、１０４  第３側部側壁、１０５  第４側部側壁、１０６  第１コーナ部側壁、１０７  第２コーナ部側壁、１０８  第３コーナ部側壁、１０９  第４コーナ部側壁、１０６  第１コーナ部側壁、１１０  第１側部フランジ部、１１０ａ，１１０ｂ，１１１ａ，１１１ｂ，１１２ａ，１１２ｂ，１１３ａ，１１３ｂ  係合凹部、１１１  第２側部フランジ部、１１２  第３側部フランジ部、１１３  第４側部フランジ部、１１４  第５側部フランジ部、１１４ａ  凹部領域、１１５  第６側部フランジ部、１１５ａ  凹部領域、１１６  第７側部フランジ部、１１７  第８側部フランジ部、１１８  第１プレート折り畳みガイド領域、１１９  第１プレート部材、１１９Ａ，１２１Ａ  本体部、１１９Ｂ，１２１Ｂ  第１延長領域部、１１９Ｃ，１２１Ｃ  第２延長領域部、１１９ａ，１１９ｂ，１１９ｃ，１１９ｄ，１２１ａ，１２１ｂ，１２１ｃ，１２１ｄ  係合凸部、１１９ｈ，１１９ｋ，１２１ｈ，１２１ｋ  切欠領域、１１９ｇ，１２１ｇ  矢印、１１９ｍ，１２１ｍ  帯状凹部溝、１２０  第２プレート折り畳みガイド領域、１２１  第２プレート部材、１２１ｅ，１２１ｆ  係止凹部、１３２  底部折り畳みガイド領域（溝）、１３１  側部折り畳みガイド領域（溝）。
【図１】
2007075511.tif 000003
【図２】
2007075511.tif 000004
【図３】
2007075511.tif 000005
【図４】
2007075511.tif 000006
【図５】
2007075511.tif 000007
【図６】
2007075511.tif 000008
【図７】
2007075511.tif 000009
【図８】
2007075511.tif 000010
【図９】
2007075511.tif 000011
【図１０】
2007075511.tif 000012
【図１１】
2007075511.tif 000013
【図１２】
2007075511.tif 000014
【図１３】
2007075511.tif 000015
【図１４】
2007075511.tif 000016
【図１５】
2007075511.tif 000017
【図１６】
2007075511.tif 000018
【図１７】
2007075511.tif 000019